(57)【要約】      （修正有）【課題】横方向からのかしめ加工において、２機のリベッティングマシンを必要とせず、機械設備等のコストを低減する。【解決手段】シリンダ上室１４に供給された圧縮空気によってピストン１５と中空軸１２及び回転軸９が下降し、電動機で回転する主軸下端に内蔵したカシメホルダ内のカシメローラ５が横移動して、ワーク１５を横かしめする装置を提供する。【選択図】図１
2013022647.tif 000002
【特許請求の範囲】
【請求項１】
リベッティングマシンの基本構造の動力伝動は、動力７の回転動力をラジアル方向をキー１０を介して契合し、回転主軸９の伝動は軸受１０により保持され、リベッティングマシンの加圧用中空軸１２も下端に、スライドガイド２、ラジアルベアリング３、横移動変換ローラー４、カシメローラー５のそれぞれのメカを内蔵したローラーホルダー１を取り付け回転主軸との結合により、縦移動をしながらホルダー内のラジアルベアリング３と横移動変換ローラー４とが接触する事により横方向（内側に）に寄せられ横移動カシメ加工をさせるかかしめ装置。
【発明の詳細な説明】
【技術分野】
【０００１】      回転する主軸下端にカシメホルダーを取り付けたリベッティングマシンにおいて、回転しながらの縦移動から、ワークのカシメ位置当たりよりそれぞれのメカににより横移動に変わり小さなワークをかしめる、横かしめ装置に関する。
【背景技術】
【０００２】    横方向からのかしめ加工は２機のリベッティングマシンを設置し両方向よりカシメワークをかしめていた。
【先行技術文献】
【０００３】
【特許文献】
【特許文献】特開２００６−１４２３２０特開平０７−３９９８４
【発明の概要】
【発明が解決しようとする課題】
【０００４】横方向からのかしめ加工は２機のリベッティングマシンを必要とする為、機械設備等に非常にコストがかかり、非常に不合理であった。
【課題を解決するための手段】本考案は回転する主軸下端に内蔵したカシメホルダーにより、縦移動から横移動に移換し小さなカシメワークを横かしめする装置を提供しようとするものである。
【発明の効果】本考案は上記のとおり構成されているので、１機で横かしめ出来る。
【図面の簡単な説明】
【図１】リベッティングマシンにカシメホルダー装置を取り付けてなる縦断面図。
【発明を実施するための形態】
回転主軸に取り付けた横かしめローラホルダーに、回転主軸よりの駆動が伝動し回転しながら下降して、ホルダー内部のメカがカシメ位置に到達すると横移動変換ローラー４がラジアルベアリング３のテーパー部に接触しカシメローラー５が横方向に移動し、かしめる事ができる。
【実施例】実施例について図面を参照に説明する。
横カシメホルダーを用いるリベッティングマシンの基本構造は図１のとおりで、電動機７の回転動力ヲキー１０を介し回転主軸９は中空軸１２に２個の軸受１１によって保持サレテイル。シリンダー室の上室１４に供給された圧縮空気によって、シリンダー室のピストン１５とこれに結合する中空軸１２は回転主軸９とともに下方に押し出され、かしめ作用に必要な回転力と加圧力を発生させる事が出来る。
【産業上の利用可能性】本考案は回転する主軸下端にカシメホルダー１を取り付けたリベッティングマシンにおいて、回転しながらの縦移動かｒ、ワークのカシメ位置当たりよりそれぞれのメカにより横移動に変わり小さなワークをかしめる、横かしめ装置に関する。
【符号の説明】  １  ローラーホルダー
２  スライドガイド
３  ラジアルベアリング
４  横移動変換ローラー
５  カシメローラー
６  位置決めローラー
７  電動機
８  空圧ピストン
９  回転主軸
１０  キー
１１  軸受
１２  中空軸
１３  マイクロストッパー
１４  シリンダ室上室
１５  ワーク
１６  ワーク受治具
１７  スプリング
１８  ワーク位置決め台
Ａ  リベッティングマシン
Ｂ  カシメワーク
【図１】
2013022647.tif 000003
【図２】
2013022647.tif 000004
【手続補正書】
【提出日】平成23年12月12日(2011.12.12)
【手続補正２】
【補正対象書類名】明細書
【補正対象項目名】全文
【補正方法】変更
【補正の内容】
【発明の詳細な説明】
【技術分野】
【０００１】回転する主軸下端にカシメホルダーを取り付けたリベッティングマシンにおいて、回転しながらの縦移動から、ワークのカシメ位置当たりよりそれぞれのメカにより横移動に変わり小さなワークを  かしめる、横かしめ装置に関する。
【背景技術】
【０００２】横方向からのかしめ加工は２機のリベッティングマシンを設置し両方向よりカシメワークを  かしめていた。
【先行技術文献】
【０００３】
【特許文献】
【特許文献】特開２００６−１４２３２０  特開平０７−３９９８４
【非特許文献】
【０００４】
【非特許文献１】
【非特許文献２】
【発明の概要】
【発明が解決しようとする課題】横方向からのかしめ加工は２機のリベッティングマシンを必要とする為、機械設備等に非常にコストがかかり、非常に不合理であった。
【課題を解決するための手段】本考案は回転する主軸下端に内蔵したカシメホルダーにより、縦移動から横移動に移換し小さなカシメワークを横かしめする装置を提供しようとするものである。
【発明の効果】本考案は上記のとおり構成されているので、１機で横かしめ出来る。
【図面の簡単な説明】
【図１】リベッティングマシンに図２のローラーホルダー装置１、を取り付けなる縦断面図である。
【図２】ローラーホルダー１を図１のリベッティングマシンに装着する事により回転主軸より駆動が伝動して、回転しながら下降しローラーホルダー１内部のメカが、かしめ位置に到達すると横移動変換ローラー４が、ラジアルベアリング３のテーパー部に接触し、カシメローラー５が内側に移動しカシメワークＢに置かれたワークを横方向からかしめる装置である。
【発明を実施するための形態】
［回転主軸に取り付けた横かしめホルダー１に、回転主軸よりの駆動が伝動し回転しながら下降して、ホルダー内部のメカがカシメ位置に到達すると横移動変換ローラー４がラジアルベアリング３のテーパー部に接触しカシメローラー５が横方向に移動し、かしめる事ができる。］
【実施例】［実施例について図面を参照に説明する。
横カシメホルダーを用いるリベッティングマシンの基本構造は図１のとおりで、電動機７の回転動力ヲキー１０を介し回転主軸９は中空軸１２に２個の軸受１１によって保持サレテイル。シリンダー室の上室１４に供給された圧縮空気によって、シリンダー室のピストン１５とこれに結合する中空軸１２は回転主軸９とともに下方に押し出され、かしめ作用に必要な回転力と加圧力を発生させる事が出来る。］
【産業上の利用可能性】［本考案は回転する主軸下端にカシメホルダー１を取り付けたリベッティングマシンにおいて、回転しながらの縦移動から、ワークのカシメ位置に当たりよりそれぞれのメカにより横移動に変わり小さなワークをかしめる、横かしめ装置に関する。］
【符号の説明】１  ローラーホルダー
２  スライドガイド
３  ラジアルベアリング
４  横移動変換ローラー
５  カシメローラー
６  位置決めローラー
７  電動機
８  空圧ピストン
９  回転主軸
１０  キー
１１  軸受
１２  中空軸
１３  マイクロストッパー
１４  シリンダ室上室
１５  ワーク
１６  ワーク受治具
１７  スプリング
１８  ワーク位置決め台
Ａ  リベッティングマシン
Ｂ  カシメワーク
【受託番号】
【・・・・】
【手続補正３】
【補正対象書類名】特許請求の範囲
【補正対象項目名】全文
【補正方法】変更
【補正の内容】
【特許請求の範囲】
【請求項１】
リベッティングマシンの基本構造の動力伝動は、動力７の回転動力をラジアル方向をキー１０を介して契合し、回転主軸９の伝動は軸受１０により保持され、リベッティングマシンの加圧用中空軸１２も下端に、スライドガイド２、ラジアルベアリング３、横移動変換ローラー４、カシメローラー５のそれぞれのメカを内蔵したローラーホルダー１を取り付け回転主軸との結合により、縦移動をしながらホルダー内のラジアルベアリング３と横移動変換ローラー４とが接触する事により横方向（内側に）に寄せられ横移動カシメ加工をさせる  かしめ装置である。
【手続補正５】
【補正対象書類名】図面
【補正対象項目名】全図
【補正方法】変更
【補正の内容】
【図１】
2013022647.tif 000005
【図２】
2013022647.tif 000006